(57)【要約】【課題】  無干渉式イヤホンの提供。【解決手段】  受信した音源及び発送する音源が共用の軸線上に設けられ、これにより使用時に人体の口、耳の連通の状態を利用し、口内発音時に耳内で発生する音波を音源発送のマイクロホンに対して発話し、並びにスピーカにより別端の受話者の音声を受け取り、これにより受話及び発話を明晰として干渉を受けないようにする携帯電話のイヤホン設計とされている。【選択図】        図１
0003111043.tif 000002
【実用新案登録請求の範囲】
【請求項１】
無干渉式イヤホンにおいて、
ケースと、
該ケース内に設けられたスピーカと、
該ケースの前端に組み合わされ、複数の孔を具え、中央に中空管柱が形成された前カバーと、
平衡用マイクロホンであって、該前カバーの中空管柱内の内段に設けられ、受話端がスピーカに向けられ並びにスピーカと対向する状態を呈する上記平衡用マイクロホンと、
発話マイクロホンであって、該前カバーの中空管柱内の外段に設けられ、後端が平衡用マイクロホンと対向するよう組み合わされ、並びに平衡用マイクロホンと該発話マイクロホンの導線が対応し一体に接続され、発話マイクロホンの受話端が中空管柱外端に向けられて前述の平衡用マイクロホンと相反する方向に設置された上記発話マイクロホンと、
を具え、この設計により、イヤホンが耳朶の耳道に挿入されて、そのスピーカ及びマイクロホンがいずれも耳道内に挿入され、並びにそのうちの発話マイクロホンは人体の耳道と発音部が発声する共鳴の音波状態により音波を直接耳道内においてマイクロホンを通して直接発送し、並びにスピーカが発声する時、一方で音波が耳道内に伝えられ、もう一方で平衡用マイクロホンがスピーカの発声する音波を受け取り、発話マイクロホンと平衡を発声し、並びに発話マイクロホンにスピーカの干渉を受けさせず、干渉を受けず、話質が明晰な通話状態を発声することを特徴とする、無干渉式イヤホン。
【請求項２】
請求項１記載の無干渉式イヤホンにおいて、スピーカに反対方向の取り付けが採用され、ケース後端に別に孔が設けられ、スピーカの音声の一部がこれらの孔より伝送され、また一部が前カバーの孔より伝送され、音源が分散されてスピーカの受信効果に影響を与えずに、スピーカのマイクロホンに対する干渉軽減を達成することを特徴とする、無干渉式イヤホン。
【請求項３】
請求項１記載の無干渉式イヤホンにおいて、前カバーの中空管柱にスカート状部を具えたシリコンゴムプラグが嵌合され、中空で厚さが薄いスカート状部が耳孔を塞ぐ時、マイクロホンとスピーカの間に１本の音を通す組合せが形成され、スピーカのマイクロホンに対する干渉を隔離し軽減することを特徴とする、無干渉式イヤホン。
【請求項４】
無干渉式イヤホンにおいて、
ケースと、
該ケース内に設けられたスピーカと、
該ケースの前端に組み合わされ、複数の孔を具え、中央に中空管柱が形成された前カバーと、
平衡用マイクロホンであって、該前カバーの中空管柱内の内段に設けられ、受話端がスピーカに向けられ並びにスピーカと対向する状態を呈する上記平衡用マイクロホンと、
発話マイクロホンであって、該前カバーの中空管柱内の外段に設けられ、後端が平衡用マイクロホンと対向するよう組み合わされ、並びに平衡用マイクロホンと該発話マイクロホンの導線が対応し一体に接続され、発話マイクロホンの受話端が中空管柱外端に向けられて前述の平衡用マイクロホンと相反する方向に設置された上記発話マイクロホンと、
無線受信発射回路であって、該ケース内に設けられ、該無線受信発射回路に使用される電池が取り付けられ、ケースにフックが設けられた、上記無線受信発射回路と、
を具え、イヤホンが耳朶に掛けられて、体積が小さい無線イヤホンの形態を形成できることを特徴とする、無干渉式イヤホン。
【請求項５】
無干渉式イヤホンにおいて、
ケースと、
該ケース内に設けられたスピーカと、
該ケースの前端に組み合わされ、複数の孔を具え、中央に中空管柱が形成され、中空管柱の外周に係止溝が設けられた前カバーと、
該前カバーの中空管柱内に設けられた発話マイクロホンと、
中空スカート状を呈して該前カバーの中央に形成された中空管柱に嵌合され、末端の孔内周に該中空管柱の係止溝と係合可能な係止縁が設けられたシリコンゴムプラグと、
を具え、中空で且つ厚さが薄いスカート状のシリコンゴムプラグが耳孔を塞ぐ時、マイクロホンとスピーカの間に１本の音を通す組合せが形成され、スピーカのマイクロホンに対する干渉を隔離し軽減することを特徴とする、無干渉式イヤホン。
【請求項６】
請求項５記載の無干渉式イヤホンにおいて、前カバーの複数の孔が中空管柱の内孔内周に設置可能とされたことを特徴とする、無干渉式イヤホン。
【請求項７】
無干渉式イヤホンにおいて、
ケースと、
該ケース内に設けられたスピーカと、
該ケースの前端に組み合わされ、軟性ゴム材料で形成され、中央に延伸部が設けられ、該延伸部の端部に中空管柱が形成され、複数の孔を具えた前カバーと、
該前カバーの中空管柱内に設けられた発話マイクロホンと、
前カバー、延伸部及び中空管柱が軟性ゴム材料で形成されたことにより、使用時に前端が耳朶の耳道内に挿入される時、延伸部及び中空管柱が耳道の曲がりに応じて湾曲し、着用して快適であることを特徴とする、無干渉式イヤホン。
【請求項８】
請求項７記載の無干渉式イヤホンにおいて、
中空スカート状を呈して前カバーの中央に形成された中空管柱に嵌合され、末端の孔の内周に中空管柱の係止溝と嵌合する係止縁が設けられた、シリコンゴムプラグを更に具え、
中空で且つ厚さが薄いスカート状のシリコンゴムプラグが耳孔を塞ぐ時、マイクロホンとスピーカの間に１本の音を通す組合せが形成され、スピーカのマイクロホンに対する干渉を隔離し軽減し、イヤホンの着用を緊密、強固とすることを特徴とする、無干渉式イヤホン。
【考案の詳細な説明】
【技術分野】
【０００１】
本考案は一種の無干渉式イヤホンに係り、特に、受話及び発話を明晰として干渉を受けないようにする携帯電話のイヤホン設計に関する。
【背景技術】
【０００２】
周知の携帯電話Ｂのイヤホン５の設計は図１３に示されるようであり、イヤホン５のスピーカ５１下方の所定距離に、マイクロホン５２が設けられ、受話、発話の機能を達成する。ただしこのような設計は通話時に、マイクロホン５２が通話を受ける時に外界環境の影響により、発生する音声が干渉を受け、発話品質が不良となる。
【０００３】
もう一種の周知のイヤホン６の設計は図１４に示されるようであり、それは無線のイヤホン６であり、それは伝送線の制限が排除されているが、販売価格が高く体積が大きく、且つその設計は延伸アーム６１を具えた主体後方に、スピーカ６２が設けられ、並びに延伸アーム６１の端部に、マイクロホン６３が設けられて、受話、発話可能な状態を構成し、並びにフック６４により耳朶上方に掛けられる。ただしこのようなイヤホン６も環境の騒音の干渉を受け、また体積が大きいという欠点を有している。
【０００４】
更に特許文献１には、マイクロホンとスピーカがイヤホンケース内に設けられた設計が記載されている。その設計はスピーカが耳道内に向けられ、指向性マイクロホンの受信端がイヤホンケース外端に向けられ、マイクロホン及びスピーカの間が隔離板で隔離され、マイクロホンとスピーカの間に干渉が発生しないものとされ、その設計はそのマイクロホンとスピーカがほぼ同一のイヤホンケース内で発話と受話を行なうように見えるが、事実上、そのマイクロホンの受話（即ち発話者の音声の受信）は発話者の口の発送する音声を受信し、更に外部を通してイヤホンケース後端部よりイヤホンケース内に進入させることで、イヤホンケース後端のマイクロホンに伝送し、音声を送出し、そのマイクロホンは耳道に進入せず且つ完全に耳道内を密閉せず、間接的にイヤホンケース外からの音声を受け取る。このため、マイクロホンは外界の、工事現場、工場、及び屋外の自動車騒音等の環境騒音の干渉を受け、発話時にも環境騒音がマイクロホンを通して受話側に送られ、このため受話側がはっきりと発話側の音声を聞き取れず、且つマイクロホンはイヤホンケース後端に設けられ並びに受信端が外向きとされ、且つイヤホンケースが被覆されているためマイクロホンの音声受信の効果が低減し、通話品質が影響を受ける。このほか、この特許文献１中にはマイクロホンとスピーカがイヤホンケースの別個の収容空間内に設けられ、並びにマイクロホン及びスピーカの音声チャネルがそれぞれ平行に独立し及び一つの音声チャネルを共用する設計が記載されている。このような設計は表面上は同時にスピーカより受話し並びにマイクロホンで発話できるように見えるが、実際には、スピーカとマイクロホンは共にイヤホンケース内に設けられ且つ距離が近過ぎるため、スピーカが音波振動を発生する時の振動がイヤホンケースよりマイクロホンに伝わり、マイクロホンがこの音波の干渉を受けて別端の受話側が聴く時に干渉の状態を発生し、且つ、そのスピーカとマイクロホンの音声チャネル出口は相当に接近し、スピーカが音声を送出する時、この音声がスピーカの音声チャネルより伝送される時、この音声がマイクロホンの音声チャネルよりマイクロホン内に進入してマイクロホンに受信され、このようにして別端の発話者が発送した音声がマイクロホンに伝わり、マイクロホンが更にこの音声を発話者に送り返す時、発話者は先に発送した音声の重複音声を受け取り、この一連の送り返される重複音声は通話の品質に厳重な影響を与える。
【０００５】
そのほか、特許文献２及び特許文献３に記載のイヤホン設計は、いずれもマイクロホンがイヤホンケースの外側位置に設けられ、使用時にイヤホンケース外側のマイクロホンで受話し、受話と発話の機能を達成する。このような設計は、そのマイクロホンが外界の作業現場、工場及び屋外の自動車騒音等の環境騒音の干渉を受け、発話時環境騒音がマイクロホンを通して受話側に送られ、受話側が発話側の音声をはっきりと聞き取れなくなる欠点があり、且つそのマイクロホンはイヤホンケース外側に設けられ、口部より比較的遠いため、発話効果が不良となる。
【０００６】
【特許文献１】米国特許第５，９０９，４９８号明細書
【特許文献２】米国特許第５，３６３，４４４号明細書
【特許文献３】米国特許第５，８４４，９８４号明細書
【考案の開示】
【考案が解決しようとする課題】
【０００７】
本考案は一種の無干渉式イヤホン、特に、受話及び発話を明晰として干渉を受けないようにする携帯電話の無干渉式イヤホンを提供することを目的とする。
【課題を解決するための手段】
【０００８】
請求項１の考案は、無干渉式イヤホンにおいて、
ケースと、
該ケース内に設けられたスピーカと、
該ケースの前端に組み合わされ、複数の孔を具え、中央に中空管柱が形成された前カバーと、
平衡用マイクロホンであって、該前カバーの中空管柱内の内段に設けられ、受話端がスピーカに向けられ並びにスピーカと対向する状態を呈する上記平衡用マイクロホンと、
発話マイクロホンであって、該前カバーの中空管柱内の外段に設けられ、後端が平衡用マイクロホンと対向するよう組み合わされ、並びに平衡用マイクロホンと該発話マイクロホンの導線が対応し一体に接続され、発話マイクロホンの受話端が中空管柱外端に向けられて前述の平衡用マイクロホンと相反する方向に設置された上記発話マイクロホンと、
を具え、この設計により、イヤホンが耳朶の耳道に挿入されて、そのスピーカ及びマイクロホンがいずれも耳道内に挿入され、並びにそのうちの発話マイクロホンは人体の耳道と発音部が発声する共鳴の音波状態により音波を直接耳道内においてマイクロホンを通して直接発送し、並びにスピーカが発声する時、一方で音波が耳道内に伝えられ、もう一方で平衡用マイクロホンがスピーカの発声する音波を受け取り、発話マイクロホンと平衡を発声し、並びに発話マイクロホンにスピーカの干渉を受けさせず、干渉を受けず、話質が明晰な通話状態を発声することを特徴とする、無干渉式イヤホンとしている。
請求項２の考案は、請求項１記載の無干渉式イヤホンにおいて、スピーカに反対方向の取り付けが採用され、ケース後端に別に孔が設けられ、スピーカの音声の一部がこれらの孔より伝送され、また一部が前カバーの孔より伝送され、音源が分散されてスピーカの受信効果に影響を与えずに、スピーカのマイクロホンに対する干渉軽減を達成することを特徴とする、無干渉式イヤホンとしている。
請求項３の考案は、請求項１記載の無干渉式イヤホンにおいて、前カバーの中空管柱にスカート状部を具えたシリコンゴムプラグが嵌合され、中空で厚さが薄いスカート状部が耳孔を塞ぐ時、マイクロホンとスピーカの間に１本の音を通す組合せが形成され、スピーカのマイクロホンに対する干渉を隔離し軽減することを特徴とする、無干渉式イヤホンとしている。
請求項４の考案は、無干渉式イヤホンにおいて、
ケースと、
該ケース内に設けられたスピーカと、
該ケースの前端に組み合わされ、複数の孔を具え、中央に中空管柱が形成された前カバーと、
平衡用マイクロホンであって、該前カバーの中空管柱内の内段に設けられ、受話端がスピーカに向けられ並びにスピーカと対向する状態を呈する上記平衡用マイクロホンと、
発話マイクロホンであって、該前カバーの中空管柱内の外段に設けられ、後端が平衡用マイクロホンと対向するよう組み合わされ、並びに平衡用マイクロホンと該発話マイクロホンの導線が対応し一体に接続され、発話マイクロホンの受話端が中空管柱外端に向けられて前述の平衡用マイクロホンと相反する方向に設置された上記発話マイクロホンと、
無線受信発射回路であって、該ケース内に設けられ、該無線受信発射回路に使用される電池が取り付けられ、ケースにフックが設けられた、上記無線受信発射回路と、
を具え、イヤホンが耳朶に掛けられて、体積が小さい無線イヤホンの形態を形成できることを特徴とする、無干渉式イヤホンとしている。
請求項５の考案は、無干渉式イヤホンにおいて、
ケースと、
該ケース内に設けられたスピーカと、
該ケースの前端に組み合わされ、複数の孔を具え、中央に中空管柱が形成され、中空管柱の外周に係止溝が設けられた前カバーと、
該前カバーの中空管柱内に設けられた発話マイクロホンと、
中空スカート状を呈して該前カバーの中央に形成された中空管柱に嵌合され、末端の孔内周に該中空管柱の係止溝と係合可能な係止縁が設けられたシリコンゴムプラグと、
を具え、中空で且つ厚さが薄いスカート状のシリコンゴムプラグが耳孔を塞ぐ時、マイクロホンとスピーカの間に１本の音を通す組合せが形成され、スピーカのマイクロホンに対する干渉を隔離し軽減することを特徴とする、無干渉式イヤホンとしている。
請求項６の考案は、請求項５記載の無干渉式イヤホンにおいて、前カバーの複数の孔が中空管柱の内孔内周に設置可能とされたことを特徴とする、無干渉式イヤホンとしている。
請求項７の考案は、無干渉式イヤホンにおいて、
ケースと、
該ケース内に設けられたスピーカと、
該ケースの前端に組み合わされ、軟性ゴム材料で形成され、中央に延伸部が設けられ、該延伸部の端部に中空管柱が形成され、複数の孔を具えた前カバーと、
該前カバーの中空管柱内に設けられた発話マイクロホンと、
前カバー、延伸部及び中空管柱が軟性ゴム材料で形成されたことにより、使用時に前端が耳朶の耳道内に挿入される時、延伸部及び中空管柱が耳道の曲がりに応じて湾曲し、着用して快適であることを特徴とする、無干渉式イヤホンとしている。
請求項８の考案は、請求項７記載の無干渉式イヤホンにおいて、
中空スカート状を呈して前カバーの中央に形成された中空管柱に嵌合され、末端の孔の内周に中空管柱の係止溝と嵌合する係止縁が設けられた、シリコンゴムプラグを更に具え、
中空で且つ厚さが薄いスカート状のシリコンゴムプラグが耳孔を塞ぐ時、マイクロホンとスピーカの間に１本の音を通す組合せが形成され、スピーカのマイクロホンに対する干渉を隔離し軽減し、イヤホンの着用を緊密、強固とすることを特徴とする、無干渉式イヤホンとしている。
【考案の効果】
【０００９】
本考案は以下のような長所を有している。
１．本考案はマイクロホン部分が耳道内の所定深さに完全に進入させられて、マイクロホンが耳道内に接近させられ、極めてはっきりと耳道内より発生する音声を受信でき、これにより通話品質を大幅に高めることができる。
２．本考案のマイクロホンはスピーカ前端から所定距離の位置に設けられ、イヤホンが耳孔を塞ぐ時、マイクロホン部分は耳道内の所定深さに進入し、イヤホンケースが耳孔孔口を完全に密封し、このためマイクロホンが完全に耳道内を完全に密閉して外界環境の干渉を受けず、明瞭な通話品質を得られる。
３．本考案のマイクロホンはスピーカ前端から所定距離の位置に設けられ、大幅にマイクロホンがスピーカの干渉を受ける現象が軽減され、無干渉の通話効果を形成する。
４．本考案のマイクロホンはスピーカ前端より所定距離の位置に設けられ、前カバーに設けられたスピーカの音声貫通孔が耳道に近い耳孔孔口口縁部分に設けられ、明瞭にスピーカの音声を聞き取れるだけでなく、またスピーカの音声のマイクロホンに対する干渉が防止される。
５．本考案の設計は、価格が比較的高い指向性マイクロホンを使用する必要がなく、このため大幅にコストを低減でき、製品の競争力を高めることができる。
【考案を実施するための最良の形態】
【００１０】
図１、２、３及び図６に示されるように、本考案によると、イヤホンのケース１内に、スピーカ１１が設けられて、発話側の音声を聴くことができ、またケース１の前端に設けられた複数の孔１２１を具えた前カバー１２の中央に、中空管柱１２２が設けられ、この中空管柱１２２の中孔１２２１内に、一組のマイクロホン１３、１４が設けられ、該マイクロホン１３、１４の後端は対向するように組み合わされ、並びにマイクロホン導線１３１、１４１が一体に接続され、且つ組立時には、一方のマイクロホン１３の受話端１３２はスピーカ１１に向けられて並びにスピーカ１１と対向する状態とされ、もう一方のマイクロホン１４の受話端１４２は中空管柱１２２外端に向けられて前述のマイクロホン１３と相反する方向に設置される。この設計により、イヤホンが耳朶２の耳道２１を塞ぐ時、そのスピーカ１１及びマイクロホン１３、１４がいずれも耳孔内に進入し、並びにそのうちのマイクロホン１４が人体の耳道２１が発音部と発生する共鳴の音波状態により、音波を直接耳道２１内よりマイクロホン１４を通して発送し、並びにスピーカ１１が発声する時、一方でこの音波が耳道２１内に伝えられ、また一方でマイクロホン１３がスピーカ１１の発送する音波を受け取ってマイクロホン１４と平衡を発声し、並びにマイクロホン１４にスピーカ１１の干渉を受けさせない。且つ、本考案のマイクロホン１４はスピーカ１１前端から所定距離の位置に設けられ、携帯電話Ａと組み合わされ使用される時、イヤホンが耳孔を塞ぐ時、受話用のマイクロホン１４部分が耳道２１内の所定深さに進入し、イヤホンが耳孔孔口を完全に密閉し、これによりマイクロホン１３、１４が完全に耳道２１を密閉して外界環境の騒音の干渉を受けず、無干渉で通話品質が明晰が通話状態を得られる。そのうち、前カバー１２部分に綿カバー１５が嵌合され、そのうち、スピーカ１１には逆方向の取り付けを採用可能であり、且つケース１後端に別に孔１６を設置可能で、スピーカ１１の音声の一部がこれらの孔より伝送され、一部が前カバー１２の孔１２１より伝送され、音源が分散されてスピーカ１１の受信効果に影響を与えずに、スピーカ１１のマイクロホン１４に対する干渉軽減の目的を達成できる（図４）。前カバー１２の中空管柱１２２はスカート状部１２５を具えたシリコンゴムプラグ１２４が嵌合され、中空で厚さが薄いスカート状部１２５が耳孔を塞ぐ時、マイクロホン１４とスピーカ１１の間に１本の音を通す組合せが形成され、また適度にスピーカ１１のマイクロホン１４に対する干渉を隔離し軽減する（図５）。
【００１１】
且つ本考案は別に無線受信発射回路３を組合せることができ、並びに無線受信発射回路３に使用される電池３１を取り付け、並びにケース１０にフック３２を設けて、耳朶に欠けることができる。この無線イヤホンの前カバー１２には中空管柱１２２が設けられ、該中空管柱１２２の中孔１２２１内に一組のマイクロホン１３、１４が設けられ、前カバー１２には音を通すための複数の孔１２１が設けられ、別の一種の体積が小さい無線イヤホンの使用形態が形成される（図７）。
【００１２】
更に図９、１０に示されるように、本考案の別の実施例によると、イヤホンのケース１内に、スピーカ１１が設けられて発話側の音声を聴くことができ、また前カバー１２の周囲に複数の孔１２１が設けられ、前カバー１２の中央に中空管柱１２２が形成あれ、中空管柱１２２の中孔１２２１内にマイクロホン１４が設けられ、該中空管柱１２２の外周に係止溝１２３が設けられ、該中空管柱１２２に中空のスカート状のシリコンゴムプラグ１７が組み付けられ、その末端孔内周に前述の中空管柱１２２の外周の係止溝１２３と係合する係止縁１７１が形成され、中空で厚さが薄いスカート状のシリコンゴムプラグ１７が耳孔を塞ぐ時、マイクロホン１４とスピーカ１１の間に１本の音を通す組合せが形成され、適度にスピーカ１１のマイクロホン１４に対する干渉を隔離、軽減するほか、イヤホンの着用を更に緊密で安定したものとなす。該シリコンゴムプラグ１７内にはスリーブ部１７２が設けられ、マイクロホン１４外部の結束し、更に、前述の孔１２１は中空管柱１２２の中孔１２２１内周に設置可能で、並びにマイクロホン１４の前部に中空スカート状のシリコンゴムプラグ１８が嵌合され、該シリコンゴムプラグ１８外部にスカート状部１８１が形成され、その内側にスリーブ部１８２が設けられ、マイクロホン１４外部を結束し、この中空で厚さが薄いスカート状のスカート部１８１が耳孔に組み合わされる時、マイクロホン１４とスピーカ１１の間に１本の音を通す組合せが形成されて、適度にスピーカ１１のマイクロホン１４に対する干渉を減衰、軽減する（図１０）。
【００１３】
最後に図１２は本考案の更に別の実施例を示し、それによると、イヤホンのケース１内に、スピーカ１１が設けられて発話側の音声を受け取り、同時に前カバー４の周囲に複数の孔４１が設けられ、該前カバー４は軟性ゴム材料で形成され、前カバー４の中央に延伸部４３が設けられ、該延伸部４３の端部に中空管柱４２が形成され、該中空管柱４２の中孔４２１内に、マイクロホン１４が設けられ、該中空管柱４２の外周に中空スカート状のシリコンゴムプラグ１８が嵌合され、該シリコンゴムプラグ１８の外部にスカート状部１８１が形成され、その内側にスリーブ部１８２が設けられ、マイクロホン１４の外部を血色する。中空で且つ厚さが薄いスカート状のスカート状部１８１が耳孔を塞ぐ時、マイクロホン１４とスピーカ１１の間に１本の音を通す組合せが形成され、また適度にスピーカ１１のマイクロホン１４に対する干渉を隔離及び軽減し、且つ前カバー４、延伸部４３及び中空管柱４２は軟性ゴム材料で形成され、これにより使用時に前端が耳朶２の耳道２１内を塞ぐ時、延伸部４３及び中空管柱４２が耳道２１の曲がりに沿って湾曲し、着用して快適な目的を達成する。
【図面の簡単な説明】
【００１４】
【図１】本考案の好ましい実施例の立体分解図である。
【図２】本考案の組合せ断面図である。
【図３】本考案が実際に耳朶に使用された時の実施例図である。
【図４】本考案の図１のスピーカが反対方向に取り付けられた時の実施例図である。
【図５】本考案の図１の前カバーの中空管柱にスカート状部を具えたシリコンゴムプラグが嵌合された時の実施例図である。
【図６】本考案のイヤホンが携帯電話に組み合わされて使用される時の実施例図である。
【図７】本考案が無線イヤホンに運用された時の実施例図である。
【図８】本考案が無線イヤホンに運用された時の実施例立体図である。
【図９】本考案の別の実施例の立体分解図である。
【図１０】本考案の別の実施例の断面図である。
【図１１】本考案の図９の前カバーの孔が中空管柱の中孔内周に設けられた時の実施例断面図である。
【図１２】本考案の実際に耳朶に使用された時の更に別の実施例の断面図である。
【図１３】周知のイヤホンの立体図である。
【図１４】別の周知のイヤホンの立体図である。
【符号の説明】
【００１５】
１、１０  ケース              １１、５１、６２  スピーカ
１２、４  前カバー            １２１、１６、４１  孔
１２２、４２  中空管柱
１２２１、４２１  中孔
１２３  係止溝                １２４  シリコンゴムプラグ
１２５、１８１  スカート状部
１３、１４、５２、６３  マイクロホン
１３１、１４１  導線
１３２、１４２  受話端
１５  綿カバー                １７、１８  シリコンゴムプラグ
１７１  係止縁
１７２、１８２  スリーブ部
２  耳朶                      ２１  耳道
３  無線受信発射回路          ３１  電池
３２、５４  フック
４３  延伸部
５、６  イヤホン              ６１  延伸アーム
Ａ、Ｂ  携帯電話
【図１】
0003111043.tif 000003
【図２】
0003111043.tif 000004
【図３】
0003111043.tif 000005
【図４】
0003111043.tif 000006
【図５】
0003111043.tif 000007
【図６】
0003111043.tif 000008
【図７】
0003111043.tif 000009
【図８】
0003111043.tif 000010
【図９】
0003111043.tif 000011
【図１０】
0003111043.tif 000012
【図１１】
0003111043.tif 000013
【図１２】
0003111043.tif 000014
【図１３】
0003111043.tif 000015
【図１４】
0003111043.tif 000016